(57)【要約】【課題】本発明は、ソファー状態にしたとき、肘を載置し易く、ベッド、あるいはソファーへの変換操作も容易に行うことができ、しかも、低コストで設けることができる肘掛け部材を備えたソファー兼用ベッドの提供を目的とする。【解決手段】起伏可能に背部１５と座部１４との対向端縁を連結したソファー兼用ベッド１１であって、上記背部１５の起立時に弾性的に湾曲して略水平に肘を支持可能な肘掛け状態となり、上記背部１５の倒伏時に略への字形状態となる弾性帯状体で肘掛け部材１６を形成するとともに、該肘掛け部材１６の両端部のそれぞれを背部１５側と座部１４側とに連結し、上記肘掛け部材１６の長手方向において上記湾曲する箇所１６ａを隔てた背部１５側と座部１４側とに、上記湾曲を防止するリブ１６ｄを形成し、上記肘掛け部材１６の下面側に上記略への字形状態の上記肘掛け部材１６を支持する支持部材を形成したソファー兼用ベッド１１。【選択図】    図３
2005000278.tif 000002
【特許請求の範囲】
【請求項１】
起伏可能に背部と座部との対向端縁を連結したソファー兼用ベッドであって、上記背部の起立時に弾性的に湾曲して略水平に肘を支持可能な肘掛け状態となり、上記背部の倒伏時に略への字形状態となる弾性帯状体で肘掛け部材を形成するとともに、該肘掛け部材の両端部のそれぞれを背部側と座部側とに連結し、
上記肘掛け部材の長手方向において上記湾曲する箇所を隔てた背部側と座部側とに、上記湾曲を防止するリブを形成し、
上記肘掛け部材の下面側に上記略への字形状態の上記肘掛け部材を支持する支持部材を形成したソファー兼用ベッド。
【発明の詳細な説明】
【０００１】
【発明の属する技術分野】
この発明は、ソファー、あるいは、ベッドのいずれの状態でも変換操作して利用することができるソファー兼用ベッドに関する。
【０００２】
【従来の技術】
一般に、ソファー兼用ベッドは、設置スペースを有効に利用できる等の利便性の観点から一般家庭内でも広く普及している。
【０００３】
特に最近では、ソファー兼用ベッドをソファーの状態に変換操作したときは、肘掛け用の部材を備えた形態となり、ベッドの状態に変換操作したときは、邪魔にならない肘掛け部材を備えたソファー兼用ベッドも提案されている。
【０００４】
例えば、先行技術１（特許文献１参照）におけるソファーベッド装置は、背部を倒伏したとき、矩形をしたベッドの長手方向の両端辺に側部材とよばれる中途部が長手方向の内側に向かって屈曲する部材を設けている。上記側部材は、例えば、複数パイプ材の両端どうしを回動可能に多関節型のリンク機構に形成している。
【０００５】
しかも、上記側部材は、利用者が肘掛け部材に肘を掛けたときに側部材を押圧する力と、各関節が回動する回動軸を互いにずらして連結している。これにより、利用者は、安定して肘を載置することができる。
【０００６】
しかし、上記側部材は、背部を起立するに従って、起立していくが、該側部材の中途部がソファーベッドの長手方向内側に向かって屈曲した形態の肘掛けとなる。
【０００７】
すなわち、上述するごとく、側部材がソファーベッド装置の長手方向の内側に突き出せば、該側部材は、座席側に入り込んだ状態となり、その分、座部のスペースが狭くなる。
また、側部材が突き出した形態では、利用者が肘を載置したときに、肘賭けとして載置し難い。
【０００８】
さらに、上記側部材は、ソファーベッド装置の背部を起立する際、屈曲させるためにリンク機構にする、あるいは各関節の回動軸をずらした形態とする必要がある等、製造コストを要する。
【０００９】
また、その他の肘掛け部を備えたソファー兼用ベッドの例として、先行技術２（特許文献２参照）が提案されている。
【００１０】
上記先行技術では、肘掛け体に弾性帯状体を用いている。該弾性帯状体は、ソファー兼用ベッドがベッドの状態のとき、ベッド上面に、ベッドの幅方向に平板状に収納され、ソファー状態としたとき、全体が該円弧状に湾曲して、肘掛けとし利用することができる。
【００１１】
すなわち、背部を起立させる際に、肘掛け体には、長手方向に圧縮力が加わり、該圧縮力により、通常は、上述するごとくソファーの上側に円弧状に湾曲する。
【００１２】
しかし、背部を起立させる際に、肘掛け体は平板であるため、肘掛け体が上記圧縮力に対して湾曲せずに突っ張り、背部を起立する操作を阻害する場合が生じるという問題点を有する。
【００１３】
さらに、たとえ背部が起立しても、肘掛け体は、湾曲変形しているため、利用者が肘を接触させたときに、肘と肘掛け体との接触面が少なく、肘を載置しにくくなるおそれを有する。
【００１４】
【特許文献１】
特開平０８−２９９１０８号公報
【特許文献２】
特開平０８−２９９１０７号公報。
【００１５】
【発明が解決しようとする課題】
そこで、本発明は、ソファー状態にしたとき、肘を載置し易く、ベッド、あるいはソファーへの変換操作も容易に行うことができ、しかも、低コストで設けることができる肘掛け部材を備えたソファー兼用ベッドの提供を目的とする。
【００１６】
【課題を解決するための手段】
この発明は、起伏可能に背部と座部との対向端縁を連結したソファー兼用ベッドであって、上記背部の起立時に弾性的に湾曲して略水平に肘を支持可能な肘掛け状態となり、上記背部の倒伏時に略への字形状態となる弾性帯状体で肘掛け部材を形成するとともに、該肘掛け部材の両端部のそれぞれを背部側と座部側とに連結し、上記肘掛け部材の長手方向において上記湾曲する箇所を隔てた背部側と座部側とに、上記湾曲を防止するリブを形成し、上記肘掛け部材の下面側に上記略への字形状態の上記肘掛け部材を支持する支持部材を形成したソファー兼用ベッドであることを特徴とする。
【００１７】
上記ソファー兼用ベッドは、上記背部を倒伏した時に略への字形となる上記肘掛け部材を、ベッド上面よりも突き出す形態で形成した場合、該肘掛け部材は、意匠的な部材として、枕として、あるいはベッドの長手方向の端部に形成したベッドの柵部材として用いることができる。
【００１８】
また、上記肘掛け部材がベッドの上面よりも下側に位置するように上記ソファー兼用ベッドを形成すれば、利用者は、ベッド状態にしたとき、上面全体が平面状のベッドを利用することができる。
【００１９】
また、上記背部の倒伏している時点で、上記肘掛け部材を、起立させたときに屈曲させたい側に予め略への字形に少し屈曲させた形態で形成することで、上記背部を起立したときに確実に肘掛け部材を湾曲させたい側に湾曲変形させることができるができる。
【００２０】
さらに、上記肘掛け部材には、リブを形成しているため、肘掛け部材の強度が向上し、安定して肘を載置することができる。
【００２１】
また、上記ソファー兼用ベッドがベッド状態においては、上記肘掛け部材を利用者が踏みつけた場合等、上記略への字形の肘掛け部材を押圧しても、上記肘掛け部材のリブを形成している部位は、強度を有するため形状を維持することができる。
また、上記肘掛け部材の湾曲している部位は、該湾曲部位全体がリブとして扱うことができるため、該部位も形状を維持することができる。
【００２２】
また、上記支持部材は、例えば、上記肘掛け部材の両端部のそれぞれを背部側と座部側との連結部分において、肘掛け部材に押圧力、あるいは、モーメントが加っても、上記肘掛け部材を支持することで連結することができる。
【００２３】
さらに、上記支持部材は、例えば、利用者が背部を起立させるとき、肘掛け部材の下側から肘掛け部材を支持して肘掛け部材の湾曲方向が不測の方向、すなわち下方向に湾曲することを物理的に阻害するため、常に正しい湾曲方向、すなわち上方向にしか湾曲しないようにすることができる。
【００２４】
【発明の効果】
この発明によれば、上記肘掛け部材に上記リブを形成し、上記肘掛け部材の下面側に上記支持部材を形成することでソファー兼用ベッドがソファー状態、あるいは、ベッド状態に関わらず肘掛け部材の強度を確保することができる。
【００２５】
また、利用者は、上記背部の倒伏している時に上記肘掛け部材を、略への字形形態で形成すれば、上記背部を起立する際、容易に湾曲して、ソファー状態にすることができる。
【００２６】
さらに、上記ソファー兼用ベッドがソファー状態においては、肘掛け部材の肘を載置する部位は上記座部に対して略水平に形成するため、利用者は肘を快適に載置することができる。
【００２７】
上記背部は、湾曲している状態の肘付け部材に作用する弾性力（復元力）により、倒伏する側に常時押圧されているため、利用者が上記背部を倒伏するとき、容易に倒伏することができる。
【００２８】
さらに、上記支持部材は、肘掛け部材を支持して該肘掛け部材の湾曲方向が不測の方向に湾曲することを物理的に阻害するため、常に正しい湾曲方向にしか湾曲しないようにすることができる。
【００２９】
上記肘掛け部材を一枚の板で設けることができるため、低コストで実現することができる。
【００３０】
【発明の実施の形態】
この発明の一実施形態を、以下図面を用いて説明する。
図１は、ソファーの状態に変換操作した後のソファー兼用ベッド１１を示す。
【００３１】
上記ソファー兼用ベッド１１は、長手方向の中央部を隔てた両側で独立してソファー、あるいは、ベッド状態に変換操作が可能で、且つ、長手方向に対向配設した形態で形成している。なお、上記ソファー兼用ベッド１１に向かって右側のソファーを右側ソファー兼用ベッド１２とし、左側のソファーを左側ソファー兼用ベッド１３とする。
【００３２】
また、上記左右各側のソファー兼用ベッド１２、１３は、背部１４と座部１５とに対応する２つのマット部材の一方の端部どうしを連結し、長手方向における互いに対接する側と反対側の端部には、肘掛け部材１６を背部１４と座部１５とに連結している。上記マット部材は、金属フレームからなるフレーム材と、弾性を有するマット地と、これらを被覆する被覆地を用いて形成している。
【００３３】
また、上記ソファー兼用ベッド１１には、下面における前後方向の一側部に、左右に２つずつキャスタ付きの脚体１７を枢着して支持している。
【００３４】
ただし、ソファー兼用ベッド１１の右側端部、及び、左側端部に枢着した上記脚体１７は、架台フレーム２２に対してそれぞれ内側、外側に枢着している。このように枢着することで、ソファー兼用ベッド１１を長手方向に折り畳んだとき、ソファー兼用ベッド１１の前後で各脚体１７が接触せずに、脚体１７をコンパクトに収納することができる。
【００３５】
次に、図２、図３に示すごとく、右側ソファー兼用ベッド１２と左側ソファー兼用ベッド１３とはいずれも同一の構造であるため、上記マット地と上記被覆地とを取り除いた略フレーム材のみの状態にした左側ソファー兼用ベッド１３を用いて、該左側ソファー兼用ベッド１３と、該左右各側のソファー兼用ベッド１２、１３を連結する連結部２１ａの構造を中心に説明する。なお、図２、図３は、左側ソファー兼用ベッド１３をそれぞれ異なる方向から視た図を示す。
【００３６】
さらに、上記ソファー兼用ベッド１１は、長手方向の中間部、すなわち上記左右各側のソファー兼用ベッド１２、１３の連結部において水平な設置杆２１ｂの両端部から上方へ延設した立設杆２１ｃを有した中間支持脚２１の上端を後述する架台フレーム２２に枢着し、後述詳説するが、逆Ｖ字形に折り畳み可能に形成している。
【００３７】
上記ソファー兼用ベッド１１を構成するフレーム材は、ソファー兼用ベッド１１の架台となる架台フレーム２２、座部１５を構成する座部フレーム２３、背部１４を構成する背部フレーム、及び、肘掛け部材１６とで形成する。
【００３８】
上記架台フレーム２２は、角形のフレームで、且つ、左右各側のソファー兼用ベッド１２、１３の長手方向の長さを有して形成している。上記架台フレーム２２は、一方の端部を上記脚体１７に支持されるとともに、他方の端部を上記中間支持脚２１に枢着し、該中間支持脚２１を介して２本連接した形態を上記ソファー兼用ベッド１１の幅方向の両端部に長手方向にそれぞれ形成している。
【００３９】
さらに、上記ソファー兼用ベッド１１の幅方向の両端部における架台フレーム２２の前側と後側との間には、適宜間隔を隔てて、前後方向に２本の桟２２ｃ、２２ｄを架設し、さらに、上記立設杆２１ｃの上下方向の中間位置と上記各脚体１７との間、及び、幅方向の各脚体１７の間には、それぞれ連結杆２２ｅ、２２ｅを水平に張架し、枢着した脚体１７の姿勢を一定に保つようにしている。
【００４０】
折り畳み動作を円滑に行うための付勢バネ２６を上記架台フレーム２２に架設した桟桟２２ｃ、２２ｄのうち長手方向の外側の桟桟２２ｃと、上記設置杆２１ｂとの各中央部に係止して側面視Ｖ字状に張架している。
【００４１】
一方、上記座部フレーム２３、及び、上記背部フレーム２４の外形形状は、それぞれ略コの字形をし、各コの字形の開口部が互いに対向させた形態で、且つ、該コの字形の端部どうしをヒンジ機構でそれぞれ枢着し、各ヒンジ機構どうしを丸形の軸部材で連結している。
【００４２】
上記座部フレーム２３は、左右各側のソファー兼用ベッド１２、１３の前側片半分に位置し、且つ、上記架台フレーム２２上面に載置する形態で該架台フレーム２２と一体に形成し、上記背部フレーム２４は、上記ヒンジ機構によって左右各側のソファー兼用ベッド１２、１３の後側片半分に、上記座部フレーム２３に対して起伏可能に形成している。
【００４３】
上記座部フレーム２３の細部の形状は、長手方向については、ソファー兼用ベッド１１の肘掛け部材１６が位置する部位を除いた長さで形成し、座部フレーム２３の前側部２３ａにおける両端部のうち、肘掛け部材１６が位置する側の角部位置からさらに肘掛け部材側にＬ形に突き出す形状の部材を用いて座部フレーム２３の前側部２３ａを形成している。
【００４４】
さらに、上記座部フレーム２３の前側部２３ａには、長手方向の中央部に該座部フレーム２３の前側部２３ａと平行で、且つ、座部フレーム２３の内側下方に位置するハンドル２６を枢着している。
【００４５】
また、ソファー兼用ベッド１１の幅方向の中央部からやや前側、及び、座部フレーム２３の前側部２３ａよりもやや後側に、丸形の桟２３ｂ、２３ｂを長手方向にそれぞれ架設し、該架設した２本の丸形の桟２３ｂ、２３ｂの間の中央位置に板状の桟２３ｃを架設している。なお、該板状の桟２３ｃは、上記コの字形の座部フレーム２３における上端面に載置する形態で接触面を溶接して一体にしている。さらに、２本の丸形の桟２３ｂ、２３ｂには、所定間隔を隔てて、２本の角形の桟２３ｄ、２３ｄを横架している。
【００４６】
上述した構成で座部フレーム２３は構成するが、上記背部フレーム２４については、上記座部フレーム２３と略同一形状をしているため、異なる形状を中心に説明を行う。
【００４７】
上記長手方向に架設した丸形の桟２３ｂは、ソファー兼用ベッド１１の幅方向の中央部からやや後側に一本のみ架設し、上記丸形の桟から座部側フレーム２４の後側部２４ａに、２本の角形の桟２４ｂ、２４ｂを直接横架している。
【００４８】
また、背部フレーム２４の後側部２４ａは、肘掛け部材１６が位置する側の角部位置からさらに、Ｌ形に突き出した形状で形成しているが、上述した座部フレーム２３の前側フレームで形成したＬ形よりも先端部を長く形成し、互いのＬ形の先端部が対向する形態で左右各側のソファー兼用ベッド１２、１３を形成している。
【００４９】
また、座部フレーム２３の前側部２３ａと、背部フレーム２４の後側部２４ａとの各Ｌ形の先端部には、コの字形をして上記肘掛け部材１６と連結するための連結部材２７を形成している。上記連結部材２７には、帯状の弾性金属板で形成した上記肘掛け部材１６の両端部をそれぞれ枢着している。
【００５０】
上記肘掛け部材１６には、ソファー兼用ベッド１１をソファーの状態にしたとき湾曲させる箇所（湾曲部１６ａ）を隔てた載置部１６ｂと支持部１６ｃとに、肘掛け部材１６の長手方向に沿って上側に凸んだリブ１６ｄを形成している。このため、図４に示すごとく該肘掛け部材１６は、局部的に湾曲した略Ｌ形形状で取り付いている。
【００５１】
なお、上記湾曲部１６ａを隔てた両側のうち肘を掛ける側を載置部１６ｂとし、該載置部１６ｂを支持する側を支持部１６ｃとする。
【００５２】
一方、背部１４側と座部１５側それぞれの連結部材２７には、肘掛け部材１６の下側で、且つ、該肘掛け部材１６を枢着した枢着部２７ａ、２７ｂと対向する部位に、肘掛け部材１６を支持するための支持棒２８ａ、２８ｂを取り付けている。
【００５３】
ここで、図５に示すごとく、ソファー兼用ベッド１１がソファー状態のとき、肘掛け部材１６における上記背部フレーム２４側と上記座部フレーム２３側との各枢着部２７ａ、２７ｂ付近に着目すると、肘掛け部材１６は、いずれの枢着部２７ａ、２７ｂにおいても支持棒２８ａ、２８ｂとは接触しない形態で湾曲変形し、該支持棒２８ａ、２８ｂによって支持されていないことが分かる。
【００５４】
しかし、利用者が肘を掛けることにより肘掛け部材１６における載置部１６ｂに対して下方に作用する押圧力を支持部１６ｃが載置部１６ｂの略下側から支持する形態となるため（図４参照）、各枢着部２７ａ、２７ｂには、過大な曲げ応力（モーメント）が加わることがない。
よって、各枢着部２７ａ、２７ｂが支持棒２８ａ、２８ｂによって支持されなくても、各枢着部２７ａ、２７ｂのみで肘掛け部材１６を支持することができる。
【００５５】
また、このように肘掛け部材１６の１箇所を湾曲させれば、肘掛け部材１６の全体を半円弧状に湾曲させた場合と比較して、湾曲部１６ａを、より大きな曲率で湾曲することができる。従って、上記湾曲部１６ａは肘掛け部材１６が真直ぐな状態に復元しようとする弾性力が付勢するため、湾曲部１６ａにおいても押圧力に対して強度を有することができる。
【００５６】
さらに、肘掛け部材１６の１箇所を湾曲させれば、背部フレーム２４を起立させたとき、肘掛け部材１６は、該肘掛け部材１６における載置部１６ｂが座部フレーム２３に対して略水平になるよう湾曲部１６ａのみが湾曲変形するため、利用者は載置部１６ｂに肘を快適に載置することができる。
【００５７】
また、載置部１６ｂには、リブ１６ｄを形成しているため、利用者が上腕を載置しても安定して支持することができる。
【００５８】
また、背部１４を倒伏する際、利用者は、背部１４を前側に少し傾けることでヒンジ機構の係止部が離間し、各ヒンジ機構は、中心軸とともに回動し、背部を倒伏することができる。
【００５９】
ここで、上述するごとく肘掛け部材１６における湾曲部１６ａには、弾性力が常に付勢しており、該弾性力は、肘掛け部材１６の背部フレーム２４側との枢着部２７ａを介して背部１４を倒伏させる方向に付勢しているため、利用者が、背部１４を前側に少し傾倒することによりヒンジ機構の係止爪（図示せず）を離間するたけで受動的に背部１４を倒伏させることができる。
【００６０】
上記操作により、図６、７に示すごとく、左側ソファー兼用ベッド１３は背部１４を倒伏でき、右側ソファー兼用ベッド１２も同様に背部１４を倒伏すれば、ソファー兼用ベッド１１は、ベッドとして利用される状態に変換操作をすることができる。
【００６１】
また、ソファー兼用ベッド１１がベッドの状態においては、図８に示すごとく、肘掛け部材１６は、座部フレーム２３よりも上方に突き出し、且つ、正面視略への字形を左右対称にした形態となる。
すなわち、上記形態を採るベッド状態での肘掛け部材１６は、載置部１６ｂと支持部１６ｃとのなす角Ｂが、ソファー状態での肘掛け部材１６における載置部１６ｂと支持部１６ｃとのなす角Ａ（図４参照）と比較して大きくなる。
【００６２】
このとき、図９に示すごとく、肘掛け部材１６の各枢着部２７ａ、２７ｂに付近に着目すると、支持棒２８ａ、２８ｂは、背部フレーム２４側、座部フレーム２３側のいずれの枢着部２７ａ、２７ｂにおいても肘掛け部材１６を下側から支持する形態となる。
【００６３】
これは、背部フレーム２４側、及び、座部フレーム２３側の各支持棒２８ａ、２８ｂは、ソファー兼用ベッド１１をベッド状態に変換後に上述した形状に湾曲変形した肘掛け部材１６がいずれの側の支持棒２８ａ、２８ｂにおいても接触する部位に取り付けているためである。
なお、上記支持棒２８ａ、２８ｂの径は、背部１４側と座部１５側とで同径であり、枢着部２７ａ、２７ｂは、連結部材２７の上下方向の中心に取り付けている。
【００６４】
すなわち、背部１４側の支持棒は、連結部材２７において、該枢着部２７ａ、２７ｂの取り付け位置よりも上側に取り付け、座部１５側の支持棒２８ｂは、該背部１４側の支持棒２８ａの取り付け位置よりもさらに上側に取り付いている。
【００６５】
上記取り付け形態とすることで、上述したベッド状態における湾曲変形した肘掛け部材１６を支持棒２８ａ、２８ｂで支持することができる。
【００６６】
また、なす角Ｂが大きくなればソファー状態のように支持部１６ｃが載置部１６ｂを下側から支えることができなくなり（図８参照）、肘掛け部材１６を下方に押圧する力が作用した場合、各枢着部２７ａ、２７ｂにおいて作用する曲げ応力が大きくなる。
【００６７】
このため、ベッド状態において湾曲変形した形状のける肘掛け部材１６を上記支持棒２８ａ、２８ｂで肘掛け部材１６を支持することで、枢着部２７ａ、２７ｂに負担がかかることがない。
しかも、肘掛け部材１６における支持棒２８ａ、２８ｂとの接触部には、リブ１６ｄを形成しているため、該接触部が曲げ応力により屈曲してしまうこともない。よって、肘掛け部材１６は、利用者がたとえ肘掛け部材１６に頭部を載置する、あるいは踏みつけても破損することがなく強度を確保ことができる。
【００６８】
背部１４側、及び、座部１５側の支持棒も、上記枢着部２７ａ、２７ｂの取り付け位置のごとく連結部材２７の上下方向の中心位置に取り付けてもよい。
【００６９】
この構成の場合、支持棒を湾曲変形した肘掛け部材に接触して支持可能な径を備えて形成すれば、肘掛け部材を確実に支持することができ、且つ、同じ中心軸に穴加工を行い、連結部材２７の穴加工を容易に行うことができる。
【００７０】
なお、上記支持棒２８ａ、２８ｂは、背部１５側と座部１４側とで同径のものを用いても構わない。
【００７１】
すなわち、背部１５側の枢着部２８ａ、２８ｂを支持可能な径の支持棒２２ａ，２２ｂを背部１５側と座部１４側とに取りつけた構成とすれば、過大な曲げ応力が作用する背部１５側の枢着部２８ａ、２８ｂは、支持棒２２ａで支持でき、且つ、背部１５側と座部１４側の支持棒２８ａ、２８ｂを同じ部材を用いることでコストも抑えることができる。
【００７２】
次に、上述したベッド状態のソファー兼用ベッド１１を収納する場合は、利用者は、図１０に示すごとく上記ハンドル２６を座部フレーム２３の前側部２３ａの下端面の高さまで回動し、座部フレーム２３に対して前側に位置させ、該ハンドル２６におけるベッドの長手方向の中央側の部位を把持し、持ち上げると図１１（ａ）に示すごとくベッド状態であったソファー兼用ベッド１１を図１１（ｂ）に示す逆Ｖ字形にベッドの長手方向の中央部で折り畳むことができる。この際、上記付勢バネ２６の伸縮力を利用するため容易に、しかも、起立した状態に折り畳むためコンパクトに収納することができる。
【００７３】
上述の実施形態と、この発明の構成との対応において、
この実施形態の支持棒は、この発明の支持部に対応するも、この発明は、上述の実施形態の構成のみに限定されるものではなく、多くの実施の形態を得ることができる。
【図面の簡単な説明】
【図１】本発明のソファー状態におけるソファー兼用ベッドを現す外観図。
【図２】マット地、及び、被覆地を取り外したソファー状態における本発明のソファー兼用ベッドの左側を後方から見た斜視図。
【図３】マット地、及び、被覆地を取り外したソファー状態における本発明のソファー兼用ベッドの左側を前方から見た斜視図。
【図４】マット地、及び、被覆地を取り外した本発明のソファー兼用ベッドを一部拡大した左側面図。
【図５】肘掛け部材のソファー状態における背部と座部との枢着部付近を示す断面図。
【図６】マット地、及び、被覆地を取り外したベッド状態における本発明のソファー兼用ベッドの左側を後方から見た斜視図。
【図７】マット地、及び、被覆地を取り外したソファー状態における本発明のソファー兼用ベッドの左側を現す外観図。
【図８】マット地、及び、被覆地を取り外した本発明のソファー兼用ベッドの左側面図。
【図９】肘掛け部材のベッド状態における背部と座部との枢着部付近を示す断面図。
【図１０】ハンドルの回動操作の様子を断面で現した状態図。
【図１１】ソファー兼用ベッドを折り畳む前の状態を現す正面図（ａ）、ソファー兼用ベッドを折り畳んだ後の状態を現す正面図（ｂ）。
【符号の説明】
１１…ソファー兼用ベッド
１４…座部
１５…背部
１６…肘掛け部材
１６ａ…湾曲部
１６ｄ…リブ
２８ａ、２８ｂ…支持棒
【図１】
2005000278.tif 000003
【図２】
2005000278.tif 000004
【図３】
2005000278.tif 000005
【図４】
2005000278.tif 000006
【図５】
2005000278.tif 000007
【図６】
2005000278.tif 000008
【図７】
2005000278.tif 000009
【図８】
2005000278.tif 000010
【図９】
2005000278.tif 000011
【図１０】
2005000278.tif 000012
【図１１】
2005000278.tif 000013